(57)【要約】【課題】対象物が曝された温度と経過時間を精度良く推定することができる温度表示デバイスの読取処理装置、サーバー装置、温度表示デバイスの読取処理システム、および温度表示デバイスの読取処理装置の制御方法を提供することを目的とする。【解決手段】温度表示デバイスの読取処理装置は、時間情報を示す時間情報の画像と、色の変化で温度と経過時間に関する情報の表示を行う温度情報の画像と、を含む撮像された時刻情報が付加された温度表示デバイスの画像を取得する取得部と、温度によって変化した色と経過時間と温度との関係である退色情報を温度毎に記憶する記憶部と、温度情報を含む画像から検出した温度と経過時間によって変化した色に関する色情報と、時間情報を含む画像から検出した時間情報に基づく経過時間と、記憶部が記憶する退色情報と、に基づいて、温度表示デバイスが曝された温度を推定する温度推定部と、を備える。【選択図】図３
2019045474.tif 000002
【特許請求の範囲】
【請求項１】
時間情報を示す時間情報の画像と、色の変化で温度と経過時間に関する情報の表示を行う温度情報の画像と、を含む撮像された時刻情報が付加された温度表示デバイスの画像を取得する取得部と、
温度によって変化した色と経過時間と温度との関係である退色情報を温度毎に記憶する記憶部と、
前記温度情報を含む画像から検出した温度と前記経過時間によって変化した色に関する色情報と、前記時間情報を含む画像から検出した前記時間情報に基づく経過時間と、前記記憶部が記憶する前記退色情報と、に基づいて、前記温度表示デバイスが曝された温度を推定する温度推定部と、
を備える温度表示デバイスの読取処理装置。
【請求項２】
前記温度推定部は、前記温度情報を含む画像における波長成分を限定して、前記温度表示デバイスが曝された環境の温度を推定する、請求項１に記載の温度表示デバイスの読取処理装置。
【請求項３】
前記温度推定部は、前記温度情報を含む画像をグレースケール化し、前記グレースケース化した画像の濃淡に基づいて、前記温度表示デバイスが曝された環境の温度を推定する、請求項１または請求項２に記載の温度表示デバイスの読取処理装置。
【請求項４】
前記温度表示デバイスは、
前記温度表示デバイスが発行された前記時間情報を含む領域と、
温度変化を検知して色の変化によって前記温度情報を示す領域と、
を備え、
前記温度情報を示す領域は、前記経過時間に応じて色が変化する、請求項１から請求項３のいずれか１項に記載の温度表示デバイスの読取処理装置。
【請求項５】
前記温度表示デバイスは、色に関する情報の校正用の領域、を備え、
前記記憶部は、前記校正用の領域に色に関する情報と、校正を行うか否かの校正閾値を記憶し、
前記取得部は、
前記校正用の領域の画像を取得し、
前記温度推定部は、取得された前記校正用の領域の画像から検出した色に関する情報と、前記記憶部が記憶する校正用の領域に色に関する情報とを比較し、比較した結果と前記記憶部が記憶する構成閾値を比較し、比較した結果に応じて、前記温度情報を含む画像から検出した前記色情報を校正するか否かを判断する、請求項４に記載の温度表示デバイスの読取処理装置。
【請求項６】
時間情報を示す時間情報の画像と、色の変化で温度と経過時間に関する情報の表示を行う温度情報の画像と、を含み、温度表示デバイスの読取処理装置によって撮像された時刻情報が付加された温度表示デバイスの画像を取得する通信部と、
色に関する情報と経過時間と温度との関係である退色情報を温度毎に記憶する記憶部と、
前記温度情報を含む画像から検出した温度と前記経過時間によって変化した色に関する色情報と、前記時間情報を含む画像から求めた前記時間情報に基づく経過時間と、前記記憶部が記憶する前記退色情報と、に基づいて、前記温度表示デバイスが曝された温度を推定する制御部と、
を備え、
前記通信部は、推定した前記温度表示デバイスが曝された温度を示す情報を前記温度表示デバイスの読取処理装置へ出力する、サーバー装置。
【請求項７】
温度表示デバイスの読取処理装置と、サーバー装置を有する温度表示デバイスの読取処理システムであって、
温度表示デバイスの読取処理装置は、
時間情報を示す時間情報の画像と、色の変化で温度と経過時間に関する情報の表示を行う温度情報の画像と、を含む温度表示デバイスの画像を撮像する撮像部と、
前記撮像部が撮像した温度表示デバイスの画像に、撮像した時刻を示す情報を付加して前記サーバー装置へ送信し、前記サーバー装置が送信した前記温度表示デバイスが曝された温度を示す情報を受信する通信部と、
前記受信された前記温度表示デバイスが曝された温度を示す情報を表示する表示部と、を備え、
前記サーバー装置は、
時間情報を示す時間情報の画像と、色の変化で温度と経過時間に関する情報の表示を行う温度情報の画像と、を含む温度表示デバイスの読取処理装置が撮像し撮像された時刻情報が付加された温度表示デバイスの画像を取得し、制御部が推定した前記温度表示デバイスが曝された温度を示す情報を前記温度表示デバイスの読取処理装置へ出力する通信部と、
色に関する情報と経過時間と温度との関係である退色情報を温度毎に記憶する記憶部と、
前記温度情報を含む画像から検出した温度と前記経過時間によって変化した色に関する色情報と、前記時間情報を含む画像から検出した前記時間情報と前記撮像された時刻に基づいて求めた経過時間と、前記記憶部が記憶する前記退色情報と、に基づいて、前記温度表示デバイスが曝された温度を推定する前記制御部と、を備える、温度表示デバイスの読取処理システム。
【請求項８】
温度によって変化した色と経過時間と温度との関係である退色情報を温度毎に記憶する記憶部を有する温度表示デバイスの読取処理装置の制御方法であって、
取得部が、時間情報を示す時間情報の画像と、色の変化で温度と経過時間に関する情報の表示を行う温度情報の画像と、を含む温度表示デバイスの読取処理装置が撮像し撮像された時刻情報が付加された温度表示デバイスの画像を取得する手順と、
温度推定部が、前記温度情報を含む画像から検出した温度と前記経過時間によって変化した色に関する色情報を認識する手順と、
前記温度推定部が、前記時間情報を含む画像から検出した前記時間情報と撮像された時刻に基づいて経過時間を求める手順と、
前記温度推定部が、前記色情報と、前記経過時間と、前記記憶部が記憶する前記退色情報と、に基づいて、前記温度表示デバイスが曝された温度を推定する手順と、
を含む温度表示デバイスの読取処理装置の制御方法。
【発明の詳細な説明】
【技術分野】
【０００１】
本発明は、温度表示デバイスの読取処理装置、サーバー装置、温度表示デバイスの読取処理システム、および温度表示デバイスの読取処理装置の制御方法に関する。
【背景技術】
【０００２】
近年、食品及び医薬品などについては、一般に製造後又は開封後の経過時間や保存温度環境に注意しなければならないことは経験的によく理解されている。例えば乳製品は製造時から急速に劣化する。
【０００３】
また、難病の治療効果が期待できる医薬品においても、多くの種類は、本来管理されなければならない保管の仕方や温度環境において初めて機能する。毎年冬の時期に利用される医薬品の代表例であるワクチンは生物由来製品であり、種類によって保管の仕方が異なり、扱い方で効能が変わる。
今後、温度感受性の高い食品・医薬品の急増が予想されている。製品個々に対する適正な管理は、環境・資源の社会課題を解決するツールとして、多岐にわたり広い用途でますます重要になってきている。
【０００４】
例えば、設備インフラ業界や産業界においては、温度管理が施設等のモニタリング及び製品化工程や品質管理上で重要な管理項目として知られ、温度管理用に電子計測器が用いられている。
食品及び医薬品に対する温度管理用として電子計測器の利用は、バッテリー駆動型の動作原理であり個々の食品や医薬品に対して高コストであること、更に取扱い上の簡便性がないことから本用途に適していない。
他の温度管理用ツールとしては、示温インク材料を利用したサーモラベルがある。サーモラベルは、取扱い上簡便性ではあるが温度検知開始機能がなく、材料物性上及び発色原理から可逆性であることで温度検知の対象や利用シーンが限定され、また高精度な温度測定が困難である。
【０００５】
このような市場の要求に基づき、示温インクとは異なる材料物性上の特性を生かし、簡便な温度インジケータ、タグ、ラベル化が可能な、フォトクロミック化合物を含む温度履歴表示材を用いた温度管理技術が提案されている（例えば、特許文献１参照）。
【０００６】
ここで、フォトクロミズムとは、光の作用により単一の化学種が分子量を変えることなく吸収スペクトルの異なる２つの異性体（Ａ，Ｂ）を可逆的に生成する現象である。また、フォトクロミズムは、異性体Ａに特定波長の光を照射すると、結合様式あるいは電子状態に変化が生じ、異性体Ｂに変換し、その結果、紫外・可視吸収スペクトルが変化して色が変わる現象である。
特許文献１に記載の光機能素子は、［１］スイッチ機能を備える、［２］加熱により再生不可能な消色が起こる、［３］着色状態が可視化で安定である、という３つの特徴を有している。特許文献１では、このような特徴を有する光機能素子を、温度履歴表示材として使用することが提案されている。
【０００７】
フォトクロミズムを用いた特許文献１に記載の技術は、外部刺激による色の変化を用いる原理なので、電力消費はゼロ、曝される環境の温度変化を退色特性と経過時間による色の差から温度検知が行われることから温度履歴の表示と記録及びエビデンス性を有する。
また、特許文献１に記載の技術は、小型薄膜なデバイス仕様実現が可能なことから利用する場所や対象を特定することがなく、フレキシビリティ性が見込めることから温度検知対象の大小サイズ等、種類を選ばない。さらに、特許文献１に記載の技術は、小型薄膜なデバイスが実現の際は、ディスポーザル性、低コスト化、簡便性が期待でき、新たな温度インジケータとして有望である。
【先行技術文献】
【特許文献】
【０００８】
【特許文献１】特開２０１４−１５５５２号公報
【発明の概要】
【発明が解決しようとする課題】
【０００９】
しかしながら、特許文献１に記載の技術では、目視で小型薄膜なデバイス上に設けられた色の変化を測定結果として確認し判定することから、測定精度と繰返し精度が高くない。このため、特許文献１に記載の技術では、対象物が曝された温度の測定精度が悪く、経過時間の判断が適切にできない可能性があった。
【００１０】
本発明は、上記の問題点に鑑みてなされたものであって、対象物が曝された温度と経過時間を精度良く推定することができる温度表示デバイスの読取処理装置、サーバー装置、温度表示デバイスの読取処理システム、および温度表示デバイスの読取処理装置の制御方法を提供することを目的とする。
【課題を解決するための手段】
【００１１】
上記目的を達成するため、本発明の一態様に係る温度表示デバイス（２０）の読取処理装置（１０）は、時間情報を示す時間情報の画像と、色の変化で温度と経過時間に関する情報の表示を行う温度情報の画像と、を含む撮像された時刻情報が付加された温度表示デバイスの画像を取得する取得部（撮像部１０１）と、温度によって変化した色と経過時間と温度との関係である退色情報を温度毎に記憶する記憶部（１０５）と、前記温度情報を含む画像から検出した温度と前記経過時間によって変化した色に関する色情報と、前記時間情報を含む画像から検出した前記時間情報に基づく経過時間と、前記記憶部が記憶する前記退色情報と、に基づいて、前記温度表示デバイスが曝された温度を推定する温度推定部（制御部１０６）と、を備える。
【００１２】
また、本発明の一態様に係る温度表示デバイスの読取処理装置において、前記温度推定部は、前記温度情報を含む画像における波長成分を限定して、前記温度表示デバイスが曝された環境の温度を推定するようにしてもよい。
【００１３】
また、本発明の一態様に係る温度表示デバイスの読取処理装置において、前記温度推定部は、前記温度情報を含む画像をグレースケール化し、前記グレースケース化した画像の濃淡に基づいて、前記温度表示デバイスが曝された環境の温度を推定するようにしてもよい。
【００１４】
また、本発明の一態様に係る温度表示デバイスの読取処理装置において、前記温度表示デバイスは、前記温度表示デバイスが発行された前記時間情報を含む領域（２４）と、温度変化を検知して色の変化によって前記温度情報を示す領域（２２）と、を備え、前記温度情報を示す領域は、前記経過時間に応じて色が変化するようにしてもよい。
【００１５】
また、本発明の一態様に係る温度表示デバイスの読取処理装置において、前記温度表示デバイスは、色に関する情報の校正用の領域（２３）、を備え、前記記憶部は、前記校正用の領域に色に関する情報と、校正を行うか否かの校正閾値を記憶し、前記取得部は、前記校正用の領域の画像を取得し、前記温度推定部は、取得された前記校正用の領域の画像から検出した色に関する情報と、前記記憶部が記憶する校正用の領域に色に関する情報とを比較し、比較した結果と前記記憶部が記憶する構成閾値を比較し、比較した結果に応じて、前記温度情報を含む画像から検出した前記色情報を校正するか否かを判断するようにしてもよい。
【００１６】
上記目的を達成するため、本発明の一態様に係るサーバー装置（４０）は、時間情報を示す時間情報の画像と、色の変化で温度と経過時間に関する情報の表示を行う温度情報の画像と、を含み、温度表示デバイス（２０）の読取処理装置（１０Ａ）によって撮像された時刻情報が付加された温度表示デバイスの画像を取得する通信部（４３）と、色に関する情報と経過時間と温度との関係である退色情報を温度毎に記憶する記憶部（４２）と、前記温度情報を含む画像から検出した温度と前記経過時間によって変化した色に関する色情報と、前記時間情報を含む画像から求めた前記時間情報に基づく経過時間と、前記記憶部が記憶する前記退色情報と、に基づいて、前記温度表示デバイスが曝された温度を推定する制御部（４１）と、を備え、前記通信部は、推定した前記温度表示デバイスが曝された温度を示す情報を前記温度表示デバイスの読取処理装置へ出力する。
【００１７】
上記目的を達成するため、本発明の一態様に係る温度表示デバイスの読取処理システム（１Ａ）は、温度表示デバイスの読取処理装置（１０Ａ）と、サーバー装置（４０）を有する温度表示デバイスの読取処理システムであって、温度表示デバイスの読取処理装置は、時間情報を示す時間情報の画像と、色の変化で温度と経過時間に関する情報の表示を行う温度情報の画像と、を含む温度表示デバイスの画像を撮像する撮像部（１０１）と、前記撮像部が撮像した温度表示デバイスの画像に、撮像した時刻を示す情報を付加して前記サーバー装置へ送信し、前記サーバー装置が送信した前記温度表示デバイスが曝された温度を示す情報を受信する通信部（１０７）と、前記受信された前記温度表示デバイスが曝された温度を示す情報を表示する表示部（１０４）と、を備え、前記サーバー装置は、時間情報を示す時間情報の画像と、色の変化で温度と経過時間に関する情報の表示を行う温度情報の画像と、を含む温度表示デバイスの読取処理装置が撮像し撮像された時刻情報が付加された温度表示デバイスの画像を取得し、制御部が推定した前記温度表示デバイスが曝された温度を示す情報を前記温度表示デバイスの読取処理装置へ出力する通信部（４３）と、色に関する情報と経過時間と温度との関係である退色情報を温度毎に記憶する記憶部（４２）と、前記温度情報を含む画像から検出した温度と前記経過時間によって変化した色に関する色情報と、前記時間情報を含む画像から検出した前記時間情報と前記撮像された時刻に基づいて求めた経過時間と、前記記憶部が記憶する前記退色情報と、に基づいて、前記温度表示デバイスが曝された温度を推定する前記制御部（４１）と、を備える。
【００１８】
上記目的を達成するため、本発明の一態様に係る温度表示デバイスの読取処理装置の制御方法は、温度によって変化した色と経過時間と温度との関係である退色情報を温度毎に記憶する記憶部を有する温度表示デバイスの読取処理装置の制御方法であって、取得部が、時間情報を示す時間情報の画像と、色の変化で温度と経過時間に関する情報の表示を行う温度情報の画像と、を含む温度表示デバイスの読取処理装置が撮像し撮像された時刻情報が付加された温度表示デバイスの画像を取得する手順と、温度推定部が、前記温度情報を含む画像から検出した温度と前記経過時間によって変化した色に関する色情報を認識する手順と、前記温度推定部が、前記時間情報を含む画像から検出した前記時間情報と撮像された時刻に基づいて経過時間を求める手順と、前記温度推定部が、前記色情報と、前記経過時間と、前記記憶部が記憶する前記退色情報と、に基づいて、前記温度表示デバイスが曝された温度を推定する手順と、を含む。
【発明の効果】
【００１９】
本発明によれば、対象物が曝された温度と経過時間を精度良く推定することができる。
【図面の簡単な説明】
【００２０】
【図１】第１実施形態に係る温度表示デバイスの例を示す図である。
【図２】第１実施形態に係る温度インジケータにおける退色特性の一例を示す図である。
【図３】第１実施形態に係る温度表示デバイスの読取処理システムの構成例を示すブロック図である。
【図４】第１実施形態に係る温度表示デバイスの情報を読み取って処理を行う手順例を示すフローチャートである。
【図５】第１実施形態に係る温度インジケータの色の彩度と経過時間の関係の例を示す図である。
【図６】第１実施形態に係る温度表示デバイスが装着された対象物が、２℃の温度環境に曝されたときの経過時間と色の彩度の関係を示すイメージ図である。
【図７】第１実施形態に係る温度表示デバイスが装着された対象物が、５℃の温度環境に曝されたときの経過時間と色の彩度の関係を示すイメージ図である。
【図８】第１実施形態に係る温度表示デバイスが装着された対象物が、８℃の温度環境に曝されたときの経過時間と色の彩度の関係を示すイメージ図である。
【図９】第１実施形態に係る読取処理における環境温度の特定化を示すイメージ図である。
【図１０】第１実施形態に係る記憶部が記憶する経過時間と色の退色と温度の関係（退色情報）の例を示す図である。
【図１１】第１実施形態の読取処理装置の表示部上に表示される情報の例を示す図である。
【図１２】第２実施形態に係る校正用色情報部を備える温度表示デバイスの例を示す図である。
【図１３】第２実施形態に係る温度表示デバイスの読取処理システムの構成例を示すブロック図である。
【図１４】第２実施形態に係る温度表示デバイスの読取処理システムが行う処理手順例を示すフローチャートである。
【図１５】第２実施形態に係るサーバー装置の記憶部が記憶する補正係数情報の例を示す図である。
【図１６】実施形態に係る温度表示デバイスの発行装置を示す概略図である。
【図１７】実施形態に係る発行装置の構成例を示すブロック図である。
【発明を実施するための形態】
【００２１】
以下、本発明の実施の形態について図面を参照しながら説明する。
【００２２】
＜第１実施形態＞
まず、温度表示デバイスの例を説明する。
図１は、本実施形態に係る温度表示デバイス２０の例を示す図である。図１に示すように、温度表示デバイス２０は、基材シート２１、温度インジケータ２２、および時間情報表示部２４を備える。
【００２３】
温度表示デバイス２０は、温度管理を行う対象である対象物（食品、医薬品等）のパッケージ等に装着されている。
【００２４】
温度表示デバイス２０は、温度検知の対象となる対象物に装着して使用することが想定される。このため、対象の製品の仕様、サイズ、使用方法などに基づいて、基材シート２１の形状および大きさが選択される。基材シート２１は、一方の面に粘着剤層を備えていてもよい。これにより、対象製品に貼付して使用できる温度表示デバイス２０が得られる。
基材シート２１の材質としては、ガラス、プラスチック、紙、金属（アルミニウム等）などを挙げることができる。基材シート２１は、板状、箔状等であってよい。基材シート２１は、可撓性を有することが好ましい。基材シート２１は、温度インジケータ２２に照射される光（例えば紫外線）に対して透過性であってもよいし、非透過性であってもよい。基材シート２１は、例えば平面視略矩形のカード状であってよい。
また、基材シート２１の材質は、後述する印字記録装置における記録方式に応じて、印字がしやすいものを選択するようにしてもよい。基材シート２１の材質は、記録方式によらず、温度インジケータ２２の形成、インク付着性、印字等のパターン配置等を考慮して選択してもよい。例えば、基材シート２１の表面領域の少なくとも一部を感熱紙で構成した場合、当該領域は、加熱により発色する感熱紙領域となる。感熱記録式の印字記録装置を採用する場合は、前記感熱紙領域に印字することができる。
【００２５】
温度インジケータ２２は、光の照射により温度の検知が開始される機能を有する。温度インジケータ２２は、例えば、特定の波長の光が照射されることにより変色する材料を含む。光が照射されることにより変色する材料を用いることにより、色情報を認識することで、温度表示デバイス２０が曝されていた温度、曝されていた温度における経過時間を確認することができる。
前記材料としては、特定の波長の光（例えば紫外線）が照射されて着色することで温度変化を表示可能な状態となる材料、例えば、着色後、温度に応じた速度で不可逆的に退色（消色）する材料が好ましい。この材料は、特定の波長の光の照射により着色することによって、温度の検知を開始させることができる。
前記光が紫外線であると、紫外線照射により温度インジケータ２２を着色できる。紫外線のように可視光域以外の光波長域を利用することにより、任意のタイミングで温度インジケータの温度検知開始を誘起させることができる。
特定の波長の光が照射されて着色し、温度に応じた速度で不可逆的に退色（消色）する材料としては、フォトクロミック化合物がある。フォトクロミック化合物としては、例えば、ジアリールエテン系、アゾベンゼン系、スピロピラン系、フルキド系が挙げられる。
なかでも特に、ジアリールエテン系フォトクロミック化合物は、熱安定性、繰返し耐久性、高感度であること、様々な温度で光反応可能であることなどの点で好ましい。一般式（１）は、ジアリールエテン系フォトクロミック化合物の例である。
【００２６】
【化１】
2019045474.tif 000003
一般式（１）
［一般式（１）中、Ｘは硫黄原子（Ｓ）またはスルホニル基（ＳＯ２）であり、Ｚは水素原子（Ｈ）またはフッ素原子（Ｆ）であり、ＲおよびＲ’は同一または異なって炭素数１〜６のアルキル基または炭素数３〜７のシクロアルキル基でありかつ少なくともいずれか一方が炭素数３〜７の第二級アルキル基である］
【００２７】
フォトクロミック化合物は、特定の波長の光、例えば紫外線（例えば波長２５０〜４００ｎｍ）の照射により着色される。一般式（１）のフォトクロミック化合物は、光照射により、２つのチオフェン環に結合する２つの置換基Ｒ（ここではＲ’＝Ｒとする）が結合して環を形成（閉環）し、着色される。着色したフォトクロミック化合物は、所定の温度未満では安定であるが、当該温度以上の条件に曝される（加熱される）ことにより消色（退色）する。なお、温度インジケータ２２の構成材料は、着色状態が可視光下で安定であることが好ましい。
【００２８】
時間情報表示部２４は、時間情報が印字される領域である。時間情報は、例えば、バーコード、二次元コード、文字情報等である。時間情報は、温度表示デバイス２０を利用開始した時刻を示す時間情報である。なお、時間情報表示部２４がバーコード、二次元コード等の場合、温度表示デバイス２０が装着されている対象物に関する情報を含んでいてもよい。対象物に関する情報とは、例えば、製品名、対象物を識別するための識別情報等である。温度表示デバイス２０に配置される温度インジケータ２２と時間情報表示部２４は、温度検知の対象となる対象物に装着して使用することが想定される対象の製品の仕様、サイズ、使用方法などに基づいて形状および大きさが適宜選択される。
【００２９】
ここで、温度インジケータ２２における退色特性の一例を説明する。
図２は、本実施形態に係る温度インジケータ２２における退色特性の一例を示す図である。図２の縦軸は温度インジケータ２２（図１参照）の色の彩度であり、彩度が高いほど濃い色である。横軸は経過時間を示す。
図２に示すように、温度インジケータ２２は、特定の波長の光が照射されて着色した後、時間とともに退色（消色）する。図２において、符号ａは、第１の温度における色の経時変化を示す。符号ｂは、第１の温度より高い第２の温度における色の経時変化を示す。
符号ｃは、第２の温度より高い第３の温度における色の経時変化を示す。このように、温度インジケータ２２は、温度が高いほど退色（消色）の速度が高くなる。色の彩度は温度に応じた値となるため、色の彩度に基づいて、温度表示デバイス２０が置かれた環境の温度を知ることができる。
【００３０】
次に、温度表示デバイス２０の情報を読み取って処理を行う温度表示デバイスの読取処理システム１の構成例を説明する。
図３は、本実施形態に係る温度表示デバイスの読取処理システム１の構成例を示すブロック図である。
図３に示すように、温度表示デバイスの読取処理システム１は、温度表示デバイスの読取処理装置１０（以下、単に読取処理装置１０という）と温度表示デバイス２０を含んで構成される。
【００３１】
また、図３に示すように、読取処理装置１０は、撮像部１０１（取得部）、マイク１０２、操作部１０３、表示部１０４、記憶部１０５、制御部１０６（温度推定部）、通信部１０７、スピーカ１０８、拡張スロット１０９、および外部接続端子１１０を備える。撮像部１０１、マイク１０２、操作部１０３、表示部１０４、記憶部１０５、制御部１０６、通信部１０７、スピーカ１０８、拡張スロット１０９、および外部接続端子１１０は、例えばバスを介して接続されている。
【００３２】
読取処理装置１０は、温度表示デバイス２０の情報を読み取り、読み取った情報に基づいて温度表示デバイスが装着されている対象物が曝されていた温度と経過時間等を求め、求めた対象物が曝されていた温度と経過時間等を表示部１０４に表示させる。読取処理装置１０は、撮像機能を有する、例えばスマートフォン、タブレット端末、専用装置等である。
【００３３】
撮像部１０１は、例えばＣＭＯＳ（Ｃｏｍｐｌｅｍｅｎｔａｒｙ  ＭＯＳ）イメージセンサー、ＣＣＤ（Ｃｈａｒｇｅ  Ｃｏｕｐｌｅｄ  Ｄｅｖｉｃｅ）イメージセンサー等によるカメラである。撮像部１０１は、制御部１０６の制御に応じて、温度表示デバイス２０（図１参照）の温度インジケータ２２（図１参照）と時間情報表示部２４（図１参照）を含む画像を撮像する。撮像部１０１は、撮像した画像データを、バスを介して制御部１０６に出力する。なお、撮像された画像データには撮像された時刻が含まれる。撮像された時刻は、例えば制御部１０６が計時した時刻、通信部１０７、不図示のネットワークを介して取得した時刻である。
【００３４】
マイク１０２は、制御部１０６の制御に応じて音響信号を収音し、収音した音響信号を、バスを介して制御部１０６に出力する。
【００３５】
操作部１０３は、機械式ボタン、表示部１０４上に設けられたタッチパネルセンサー等である。操作部１０３は、利用者が行った操作結果を検出して、検出した操作結果を、バスを介して制御部１０６に出力する。
【００３６】
表示部１０４は、情報を表示する装置である。表示部１０４は、例えば、液晶表示装置（ＬＣＤ）、有機ＥＬ（ＥｌｅｃｔｒｏＬｕｍｉｎｅｓｃｅｎｃｅ）装置、電子ペーパー装置によって構成される。表示部１０４は、制御部１０６の制御に応じて、温度表示デバイス２０を撮像した結果に基づく画像等を表示する。
【００３７】
記憶部１０５は、読取処理装置１０の制御に必要な情報、プログラム、色情報を識別するための情報、経過時間と色の退色と温度の関係、所定の温度範囲を示す情報等を記憶する。
【００３８】
制御部１０６は、利用者が操作部１０３を操作した結果に応じて、温度表示デバイス２０の温度インジケータ２２と時間情報表示部２４を含む画像を撮像するように撮像部１０１を制御する。制御部１０６は、撮像した画像に含まれる温度インジケータ２２の色情報を認識する。制御部１０６は、撮像した画像に含まれる時間情報を抽出する。制御部１０６は、抽出した時間情報と撮像された時間を用いて経過時間を求める。制御部１０６は、認識した色と、経過時間と、記憶部１０５が記憶する経過時間と色の退色と温度の関係とに基づいて、温度表示デバイス２０が装着されている対象物が曝されていた温度を推定する。制御部１０６は、推定した温度を示す情報と経過時間を示す情報を表示部１０４上に表示させる。制御部１０６は、対象物が曝されていた温度範囲が所定の温度範囲であったか否かを判定する。制御部１０６は、判定した結果を表示部１０４上に表示させる。制御部１０６は、拡張スロット１０９に例えばフラッシュメモリーが挿入された場合、フラッシュメモリーに対して情報の読み書きを行うように制御する。制御部１０６は、外部接続端子１１０に例えば外部機器が接続された場合、接続された外部機器から情報の取得を行い、外部機器へ情報の出力を行う等の制御を行う。なお、制御部１０６が行う詳細な処理については、後述する。
【００３９】
通信部１０７は、制御部１０６の制御に応じて、ネットワークを介して、例えばサーバー装置等との通信を行う。
【００４０】
スピーカ１０８は、制御部１０６の制御に応じて、音響信号を出力する。
【００４１】
拡張スロット１０９は、例えばフラッシュメモリーが挿入されるスロットである。
【００４２】
外部接続端子１１０は、例えばＵＳＢ（Ｕｎｉｖｅｒｓａｌ  Ｓｅｒｉａｌ  Ｂｕｓ）端子である。
【００４３】
次に、温度表示デバイス２０の情報を読み取って処理を行う手順例を説明する。
図４は、本実施形態に係る温度表示デバイス２０の情報を読み取って処理を行う手順例を示すフローチャートである。
【００４４】
（ステップＳ１）撮像部１０１は、制御部１０６の制御に応じて、制御して温度表示デバイス２０（図１参照）の温度インジケータ２２（図１参照）と時間情報表示部２４（図１参照）を含む画像を撮像する。続けて、制御部１０６は、撮像部１０１が撮像した画像データと撮像した時刻を示す情報を取得する。
【００４５】
（ステップＳ２）制御部１０６は、取得した画像データに含まれる温度インジケータ２２の領域の画像と、時間情報表示部２４の領域の画像とを分離する。制御部１０６は、例えば取得した画像データに対してクラスタリング処理を行い、温度インジケータ２２の領域の画像と、時間情報表示部２４の領域の画像とを分離して抽出する。
【００４６】
（ステップＳ３）制御部１０６は、抽出した温度インジケータ２２の領域の画像と時間情報表示部２４の領域の画像それぞれに対して、特徴量を抽出する。
【００４７】
（ステップＳ４）制御部１０６は、時間情報表示部２４の領域の画像に対して抽出した特徴量と、記憶部１０５が記憶する情報に基づいて、時間情報を認識する。例えば時間情報表示部２４が二次元コードの場合、制御部１０６は、二次元コードに埋め込まれている温度表示デバイス２０が利用開始された時刻を示す時間情報を、パターンマッチングの手法などによって認識する。
【００４８】
（ステップＳ５）制御部１０６は、温度インジケータ２２の領域の画像に対して抽出した特徴量と、記憶部１０５が記憶する情報に基づいて、色を示す情報（以下、色情報という）を認識する。制御部１０６は、温度インジケータ２２の色情報を、例えばパターンマッチングの手法によって認識する。
【００４９】
（ステップＳ６）制御部１０６は、ステップＳ４で認識した時間情報と、撮像部１０１が撮像した時刻を示す情報を用いて、温度表示デバイス２０が利用開始された時刻から撮像された時刻までの経過時間を求める。続けて、制御部１０６は、求めた経過時間を示す情報を記憶部１０５に記憶させる。
【００５０】
（ステップＳ７）制御部１０６は、ステップＳ６で求めた経過時間、ステップＳ５で認識した色情報、記憶部１０５が記憶する経過時間と色の退色と温度の関係を用いて、環境温度を推定する。続けて、制御部１０６は、推定した環境温度を示す情報を記憶部１０５に記憶させる。なお、環境温度とは、温度検知の対象となる対象物が曝されていた環境の温度である。
【００５１】
（ステップＳ８）制御部１０６は、ステップＳ８で推定した温度が、予め定められている温度範囲以内であるか否かを判定し、ステップＳ９の処理に進める。
【００５２】
（ステップＳ９）制御部１０６は、推定した環境温度を示す情報と、経過時間を示す情報と、推定した温度が予め定められている温度範囲以内であるか否かを示す情報、を表示部１０４上に表示させるように制御する。なお、制御部１０６は、推定した環境温度を示す情報と経過時間を示す情報を表示部１０４上に表示させるように制御するようにしてもよい。
【００５３】
次に、温度インジケータ２２の温度と時間に対する振る舞いの例を、図５〜図１０を用いて説明する。
図５〜図９は、本実施形態に係る温度インジケータ２２の温度と時間に対する振る舞いの例を示す図である。図１０は、本実施形態に係る記憶部１０５が記憶する経過時間と色の退色と温度の関係（退色情報）の例を示す図である。
【００５４】
温度表示デバイス２０が装着される対象物が所定の温度の環境下に置かれるとき、後述するように、発行装置５０（図１６、図１７参照）は、基材シート２１（図１参照）に温度インジケータ２２（図１参照）と時間情報表示部２４（図１参照）とを有する温度表示デバイス２０を形成する。そして、発行装置５０は、温度インジケータ２２に例えば紫外光領域（例えば２５０〜４００ｎｍ）を照射する。これにより、温度インジケータ２２による温度監視が開始される。以下の説明では、図１０に示すように、開始時点の経過時間が０のときの色情報を色Ｃ０とする。
【００５５】
図５は、温度インジケータ２２の色の彩度と経過時間の関係の例を示す図である。縦軸は色の彩度であり、横軸は経過時間である。符号ｇ１１は、環境温度が２℃のときの経過時間に対する色の彩度の関係である。符号ｇ１２は、環境温度が５℃のときの経過時間に対する色の彩度の関係である。符号ｇ１３は、環境温度が８℃のときの経過時間に対する色の彩度の関係である。
なお、図５に示した退色特性は、使用する要求仕様に合わせて温度インジケータ２２の構造変更することで変更することができる。
【００５６】
図６は、温度表示デバイス２０が装着される対象物が２℃の温度環境に曝されたときの経過時間と色の彩度の関係を示すイメージ図である。縦軸は色の彩度であり、横軸は経過時間である。符号ｇ２０が示す図に示す例では、時間が経過すると、色の彩度がｃｄ０からｃｄ１１、ｃｄ１１からｃｄ１２に変化する。
【００５７】
図７は、温度表示デバイス２０が装着される対象物が５℃の温度環境に曝されていた経過時間と色の彩度の関係を示すイメージ図である。縦軸は色の彩度であり、横軸は経過時間である。符号ｇ３０が示す図に示す例では、時間が経過すると、色の彩度がｃｄ０からｃｄ２１、ｃｄ２２、ｃｄ２３、ｃｄ２４、ｃｄ２５の順に変化する。
【００５８】
図８は、温度表示デバイス２０が装着される対象物が８℃の温度環境に曝されていた経過時間と色の彩度の関係を示すイメージ図である。縦軸は色の彩度であり、横軸は経過時間である。符号ｇ４０が示す図に示す例では、時間が経過すると、色の彩度がｃｄ０からｃｄ３１、ｃｄ３２、ｃｄ３３、ｃｄ３４、ｃｄ３５、ｃｄ３６、ｃｄ３７、ｃｄ３８、ｃｄ３９の順に変化する。
【００５９】
図５〜図８に示すように、色の彩度は、曝されていた環境温度毎に退色の早さが異なる。図５〜図８に示した例では、８℃の環境の退色が最も早く、２℃の環境の退色が最も遅い。
なお、温度インジケータ２２の温度における変色、経過時間における退色は不可逆であり、例えば２℃の環境から１５℃の環境に曝されていた場合の色情報は１５℃の色情報に変化し、２℃の環境に戻しても元に戻らない。
【００６０】
このような関係があるため、本実施形態では、図１０に示すように環境温度毎に、経過時間に色情報を対応つけて経過時間と色の退色と温度の関係（退色情報）として記憶部１０５が記憶する。
例えば、環境温度が２℃の場合、経過時間が０のときの色情報が色Ｃ０であり、経過時間がｔ１のときの色情報が色Ｃ１１であり、・・・、経過時間がｔｎのときの色情報が色Ｃ１ｎである。また、環境温度が８℃の場合、経過時間が０のときの色情報が色Ｃ０であり、経過時間がｔ１のときの色情報が色Ｃ３１であり、・・・、経過時間がｔｎのときの色情報が色Ｃ３ｎである。
なお、色情報（Ｃ０、Ｃ１１、・・・、Ｃ３ｎ）は、ＲＧＢ色空間の表現、ｓＲＧＢ色空間の表現、ＣＭＹ色空間の表現、ＨＳＶ色空間の表現等のうちのいずれかであってもよい。
【００６１】
図９は、求めた経過時間と認識した色情報から、環境温度を推定（特定）することを示すイメージ図である。
制御部１０６は、温度インジケータ２２の色情報を、画像認識を行うことで認識する。また、制御部１０６は、温度表示デバイス２０が利用開始された時刻から撮像された時刻までの経過時間を求め、求めた経過時間と認識した色情報から環境温度を推定する。例えば、認識した色情報がＣ２１であり、経過時間がｔ１の場合、記憶部１０５が記憶する経過時間と色の退色と温度の関係（退色情報）に基づいて、環境温度が５℃であると推定する。
【００６２】
このように、本実施形態の温度表示デバイス２０上における温度インジケータ２２の温度変化を検知し色の変化を誘起する材料は図２や図５に示したように、曝される環境の温度に依存して色の変化が発生する。そして、本実施形態によれば、図５に示したような関係があるため、経過時間と変化した色情報を確認することで温度が一義的に特定できる。ここで、上述したように、制御部１０６が温度インジケータ２２の色情報を認識し、経過時間を求める。そして、制御部１０６は、この経過時間と色情報に対応する温度を、記憶部１０５が記憶する退色情報を参照して一義的に特定する。
【００６３】
なお、図５〜図１０に示した温度インジケータ２２の温度検出範囲は、例えば２℃〜８℃であるとする。ここで、温度表示デバイス２０が装着される対象物が温度検出範囲以上の２０℃に曝された場合、温度インジケータ２２が白色に変化する。例えば、所定の温度範囲が２℃〜８℃の場合に、対象物が１５℃に曝されていても、制御部１０６は、認識した色情報によって対象物が所定の温度範囲外の環境温度に曝されたことを判定することができる。また、制御部１０６は、対象物が温度検出範囲以上の２０℃に曝されていた場合、認識した色情報が白色のため、対象物が所定の温度範囲外の環境温度に曝されていたことを判定することができる。
【００６４】
なお、図１０に示した記憶部１０５が記憶する経過時間と色の退色と温度の関係（退色情報）は、予め温度毎かつ経過時間毎の色情報を測定して、記憶部１０５に記憶させておく。または、制御部１０６は、使用する温度インジケータ２２に合わせて予め測定して得た経過時間と色の退色と温度の関係（退色情報）を、通信部１０７、拡張スロット１０９、外部接続端子１１０のいずれかを介して取得して記憶部１０５に記憶させるようにしてもよい。または、経過時間と色の退色と温度の関係（退色情報）を、所定の関係式（例えば退色半減期の数式）を用いて作成し、記憶部１０５に記憶させるようにしてもよい。あるいは、経過時間と色の退色と温度の関係（退色情報）を、データテーブル形式ではなく上記所定の関係式や近似式として、記憶部１０５に記憶させるようにしてもよい。
【００６５】
ここで、記憶部１０５が記憶する色情報を識別するための情報について説明する。
色情報を、ＲＧＢそれぞれが２５６値の色空間で表現すると、色情報を認識しきする為の比較データとして１６７７万色の画像データが必要になる。
しかしながら、上述したように、対象物が保管される温度の範囲が限られている場合、温度インジケータ２２の色情報が変化する範囲も限られている。このため、記憶部１０５が記憶する色情報を認識するための情報は、これらの温度範囲に対応する画像データで足りるため、記憶するデータ量を削減することができる。このように、記憶部１０５が記憶する色情報を認識するための画像データを削減できることで、制御部１０６が色情報の認識を行うためのパターンマッチングの処理を軽減することができる。
【００６６】
例えば、温度表示デバイス２０の発色退色の色成分は紫から青色である場合に、可視光波長領域の５９０ｎｍから長波長側の画像データは含めずに行ったとき、データ量を低減や高速な温度の特定が行えた。また、この場合、取得した画像データをモノクロに変換することで同様に処理する画像データ量と処理の低減が可能になった。
【００６７】
なお、上述した例では、制御部１０６が、温度インジケータ２２の色情報を識別する例を説明したが、これに限られない。
上述したように、対象物が保管される温度の範囲が限られている場合、温度インジケータ２２の色情報が変化する範囲も限られている。例えば、温度インジケータ２２が４５０ｎｍの光線で着色され、経過時間が０のときに色情報が青色であったとする。用途によっては、温度によって色情報が、例えば青紫色から青色の範囲で変化する場合がある。このような場合、制御部１０６は、図４のステップＳ３の処理において、撮像された画像データを例えばグレースケールに変換し、画像データの濃淡に応じて、色情報を認識するようにしてもよい。制御部１０６は、記憶部１０５が記憶する温度インジケータ２２が発行されたときのグレースケールによる濃度値と、撮像された画像データのグレースケールにおける濃度値との濃度差を求めるようにしてもよい。制御部１０６は、求めた濃度差と、経過時間と、記憶部１０５が記憶する経過時間と濃度差と温度の関係（退色情報）に基づいて、保管されていた温度を推定するようにしてもよい。このような場合、記憶部１０５は、グレースケール化された色情報に基づいて色情報を認識する情報と、温度インジケータ２２が発行されたときのグレースケールによる濃度値、経過時間と濃度差と温度の関係（退色情報）を記憶するようにしてもよい。
【００６８】
ここで、表示部１０４上に表示される情報の例を説明する。
図１１は、本実施形態の読取処理装置１０の表示部１０４上に表示される情報の例を示す図である。
符号ｇ１０１、ｇ１０２それぞれが示す領域の画像は、表示部１０４上に表示される画像の例である。
【００６９】
符号ｇ１０１が示す領域の画像では、表示部１０４上に、製品情報として「医薬品ＡＢＣ  ００１」、判定日として「２０１８／０１／０１（２０１８年１月１日）」、温度管理判定の判定結果として「ＯＫ（所定の温度範囲内で保管されていた）」を示す情報が表示されている。
【００７０】
符号ｇ１０２が示す領域の画像では、表示部１０４上に、製品情報として「医薬品ＡＢＣ  ００１」、判定日として「２０１８／０１／０１（２０１８年１月１日）」、経過時間として「２．５ｈ（２．５時間）」、保管されていた温度を検知した結果（温度検知結果）として「３．５℃」を示す情報が表示されている。
【００７１】
なお、図１１に示した表示情報は一例であり、これに限られない。保管が開始された日時を示す情報等を表示させるようにしてもよい。
【００７２】
以上のように、本実施形態では、温度インジケータ２２の色を目視ではなく温度表示デバイスの読取処理装置１０が認識するようにした。
本実施形態では、温度表示デバイスの読取処理装置１０の制御部１０６が、経過時間を温度インジケータ２２に埋め込まれている使用開始された時刻を示す情報と撮像された時刻との差に基づいて求めるようにした。そして、本実施形態では、制御部１０６が、認識した色情報と経過時間を、記憶部１０５が記憶する退色情報を参照することで、対象物が曝された環境温度を推定するようにした。さらに、本実施形態では、制御部１０６が、推定した温度が、温度管理範囲である所定の温度範囲以内であるか否かを判断するようにした。
【００７３】
これにより、本実施形態によれば、対象物が曝された温度と経過時間を精度良く推定することができる。また、本実施形態によれば、対象物が曝された温度と経過時間を同時に、例えば表示部１０４上に報知させることができる。
また、本実施形態によれば、温度範囲を逸脱しない状態であるか否かの判断や、温度管理範囲を逸脱し範囲以外の環境に曝されたか否かの判断を、容易に高精度に確認することができる。
【００７４】
＜第２実施形態＞
第１実施形態では、図１に示したように温度表示デバイス２０が、基材シート２１、温度インジケータ２２、および時間情報表示部２４を備える例を説明したが、これに限られない。
【００７５】
図１２は、本実施形態に係る校正用色情報部２３を備える温度表示デバイス２０Ａの例を示す図である。図１２に示すように、温度表示デバイス２０Ａは、基材シート２１、温度インジケータ２２、校正用色情報部２３、および時間情報表示部２４を備える。
【００７６】
校正用色情報部２３は、温度インジケータ２２の色情報を認識するとき、撮像された温度インジケータ２２の画像データの校正を行うか否かの判断に用いられる。また、校正を行うと制御部１０６によって判断されたとき、校正用色情報部２３は、温度インジケータ２２の色情報の校正に用いられる。
【００７７】
次に、温度表示デバイス２０Ａの情報を読み取って処理を行う温度表示デバイスの読取処理システム１Ａの構成例を説明する。
図１３は、本実施形態に係る温度表示デバイスの読取処理システム１Ａの構成例を示すブロック図である。
図１３に示すように、温度表示デバイスの読取処理システム１Ａは、読取処理装置１０Ａ、温度表示デバイス２０Ａ、およびサーバー装置４０を含んで構成される。読取処理装置１０Ａとサーバー装置４０は、ネットワーク３０を介して接続されている。
【００７８】
ネットワーク３０は、無線ＬＡＮ（Ｌｏｃａｌ  Ａｒｅａ  Ｎｅｔｗｏｒｋ）や３Ｇ通信規格の通信網（第３世代移動通信システム）や４Ｇ通信規格の通信網（第３世代移動通信システム）等の無線通信網、またはＬＡＮ等の有線通信網である。
【００７９】
サーバー装置４０は、制御部４１、記憶部４２、および通信部４３を備えている。
サーバー装置４０は、読取処理装置１０Ａがネットワーク３０を介して送信した情報を受信する。サーバー装置４０は、受信した情報に基づいて、温度表示デバイス２０Ａが装着された対象物が曝されていた温度を推定し、推定した結果を、ネットワーク３０を介して読取処理装置１０Ａへ送信する。すなわち、サーバー装置４０は、第１実施形態で読取処理装置１０が行っていた画像処理等を行い、処理した結果を読取処理装置１０Ａへ送信する。
【００８０】
制御部４１は、通信部４３が出力した読取処理装置１０Ａによって撮像された温度表示デバイス２０Ａの画像データを取得する。なお、画像データには撮像された時刻が含まれている。制御部４１は、画像データに含まれる温度インジケータ２２の色情報を認識する。制御部４１は、画像データに含まれる校正用色情報部２３の色情報を認識する。制御部４１は、画像データに含まれる時間情報を抽出する。制御部４１は、抽出した時間情報と撮像された時間を用いて経過時間を求める。制御部４１は、認識した校正用色情報部２３の色情報と、記憶部４２が記憶する情報に基づいて、認識した温度インジケータ２２の色情報の校正（補正）を行う。制御部４１は、校正した色情報と、経過時間と、記憶部４２が記憶する経過時間と色の退色と温度の関係とに基づいて、温度表示デバイス２０Ａが装着されている対象物が曝されていた温度を推定する。制御部４１は、対象物が曝されていた温度が所定の温度範囲であるか否かを判定する。制御部４１は、温度表示デバイス２０Ａが装着されている対象物が曝されていた温度を示す情報、経過時間を示す情報、対象物が曝されていた温度が所定の温度範囲であるか否かを判定した結果等を通信部４３に出力する。
【００８１】
記憶部４２は、色情報を識別するための情報、経過時間と色の退色と温度の関係、校正用色情報部２３の色情報、色情報を校正（補正）する情報、所定の温度範囲を示す情報等を記憶する。なお、色情報を校正（補正）する情報については、後述する。
【００８２】
通信部４３は、制御部４１の制御に応じて、読取処理装置１０Ａがネットワーク３０を介して送信した温度表示デバイス２０Ａの画像データを受信し、受信した温度表示デバイス２０Ａの画像データを制御部４１へ出力する。通信部４３は、制御部４１の制御に応じて、制御部４１が出力した情報を、ネットワーク３０を介して読取処理装置１０Ａへ送信する。
【００８３】
読取処理装置１０Ａは、撮像部１０１、マイク１０２、操作部１０３、表示部１０４、記憶部１０５Ａ、制御部１０６Ａ、通信部１０７、スピーカ１０８、拡張スロット１０９、および外部接続端子１１０を備える。撮像部１０１、マイク１０２、操作部１０３、表示部１０４、記憶部１０５Ａ、制御部１０６Ａ、通信部１０７、スピーカ１０８、拡張スロット１０９、および外部接続端子１１０は、例えばバスを介して接続されている。なお、第１実施形態の読取処理装置１０と同じ機能を有する機能部には同じ符号を用いて説明を省略する。
【００８４】
読取処理装置１０Ａは、温度表示デバイス２０Ａの情報を読み取り、読み取った情報を、ネットワーク３０を介してサーバー装置４０へ送信する。読取処理装置１０Ａは、サーバー装置４０が送信した情報を受信し、受信した情報を表示部１０４に表示させる。読取処理装置１０Ａは、撮像機能を有する、例えばスマートフォン、タブレット端末、専用装置等である。
【００８５】
記憶部１０５Ａは、読取処理装置１０Ａの制御に必要な情報、プログラム等を記憶する。
【００８６】
制御部１０６Ａは、利用者が操作部１０３を操作した結果に応じて、温度表示デバイス２０Ａの温度インジケータ２２と校正用色情報部２３と時間情報表示部２４を含む画像を撮像するように撮像部１０１を制御する。制御部１０６Ａは、撮像部１０１が撮像した画像データを、通信部１０７を制御して読取処理装置１０Ａへ送信する。制御部１０６Ａは、受信した情報を表示部１０４上に表示させる。制御部１０６Ａは、拡張スロット１０９に例えばフラッシュメモリーが挿入された場合、フラッシュメモリーに対して情報の読み書きを行うように制御する。制御部１０６Ａは、外部接続端子１１０に例えば外部機器が接続された場合、接続された外部機器から情報の取得を行い、外部機器へ情報の出力を行う等の制御を行う。
【００８７】
なお、本実施形態では、温度表示デバイスの読取処理装置（サーバー装置４０）は、時間情報を示す時間情報の画像と、色の変化で温度と経過時間に関する情報の表示を行う温度情報の画像と、を含む撮像された時刻情報が付加された温度表示デバイスの画像を取得する取得部（通信部４３）と、温度によって変化した色と経過時間と温度との関係である退色情報を温度毎に記憶する記憶部（４２）と、前記温度情報を含む画像から検出した温度と前記経過時間によって変化した色に関する色情報と、前記時間情報を含む画像から検出した前記時間情報に基づく経過時間と、前記記憶部が記憶する前記退色情報と、に基づいて、前記温度表示デバイスが曝された温度を推定する温度推定部（制御部４１）と、を備える。これにより、第１実施形態と同様の効果を得ることができる。
【００８８】
次に、温度表示デバイスの読取処理システム１Ａが行う処理手順例を説明する。
図１４は、本実施形態に係る温度表示デバイスの読取処理システム１Ａが行う処理手順例を示すフローチャートである。
【００８９】
（ステップＳ１０１）読取処理装置１０Ａの撮像部１０１は、制御部１０６Ａの制御に応じて、制御して温度表示デバイス２０Ａの温度インジケータ２２と校正用色情報部２３と時間情報表示部２４を含む画像を撮像する。続けて、制御部１０６Ａは、撮像部１０１が撮像した画像データと撮像した時刻を示す情報を、ネットワーク３０を介してサーバー装置４０へ送信する。
【００９０】
（ステップＳ１０２）サーバー装置４０の制御部４１は、読取処理装置１０Ａが送信した画像データを、ネットワーク３０と通信部４３を介して受信する。
【００９１】
（ステップＳ１０３）制御部４１は、受信した画像データに含まれる温度インジケータ２２の領域の画像と、校正用色情報部２３の領域の画像と、時間情報表示部２４の領域の画像とを分離する。制御部４１は、例えば取得した画像データに対してクラスタリング処理を行い、温度インジケータ２２の領域の画像と、校正用色情報部２３の領域の画像と、時間情報表示部２４の領域の画像とを分離して抽出する。
【００９２】
（ステップＳ１０４）制御部４１は、抽出した温度インジケータ２２の領域の画像と、校正用色情報部２３の領域の画像と、時間情報表示部２４の領域の画像それぞれに対して、特徴量を抽出する。
【００９３】
（ステップＳ１０５）制御部４１は、時間情報表示部２４の領域の画像に対して抽出した特徴量と、記憶部４２が記憶する情報に基づいて、時間情報を認識する。例えば時間情報表示部２４が二次元コードの場合、制御部４１は、二次元コードに埋め込まれている温度表示デバイス２０Ａが利用開始された時刻を示す時間情報を、パターンマッチングの手法などによって認識する。
【００９４】
（ステップＳ１０６）制御部４１は、温度インジケータ２２の領域の画像に対して抽出した特徴量と、記憶部４２が記憶する情報に基づいて、温度インジケータ２２の色情報を認識する。制御部４１は、校正用色情報部２３の領域の画像に対して抽出した特徴量と、記憶部４２が記憶する情報に基づいて、校正用の色情報を認識する。制御部４１は、各色情報を、例えばパターンマッチングの手法によって認識する。
【００９５】
（ステップＳ１０７）制御部４１は、認識した校正用の色情報と記憶部４２が記憶する校正用色情報部２３の色情報を比較した結果に基づいて、温度インジケータ２２の色情報の校正（補正）が必要であるか否かを判断する。制御部４１は、温度インジケータ２２の色情報の校正（補正）が必要であると判断した場合（ステップＳ１０７；ＹＥＳ）、ステップＳ１０８の処理に進める。制御部４１は、温度インジケータ２２の色情報の校正（補正）が必要ではないと判断した場合（ステップＳ１０７；ＮＯ）、ステップＳ１０９の処理に進める。
【００９６】
（ステップＳ１０８）制御部４１は、温度インジケータ２２の色情報を、校正用の色情報に基づいて校正（補正）する。処理後、制御部４１は、ステップＳ１０９に処理を進める。
【００９７】
（ステップＳ１０９）制御部４１は、ステップＳ１０５で認識した時間情報と、読取処理装置１０Ａの撮像部１０１が撮像した時刻を示す情報を用いて、温度表示デバイス２０Ａが利用開始された時刻から撮像された時刻までの経過時間を求める。続けて、制御部４１は、求めた経過時間を示す情報を記憶部４２に記憶させる。
【００９８】
（ステップＳ１１０）制御部４１は、ステップＳ１０９で求めた経過時間、ステップＳ１０６で認識した温度インジケータ２２の色情報またはステップＳ１０８で校正した温度インジケータ２２の色情報、記憶部４２が記憶する経過時間と色の退色と温度の関係を用いて、環境温度を推定する。続けて、制御部４１は、推定した環境温度を示す情報を記憶部４２に記憶させる。
【００９９】
（ステップＳ１１１）制御部４１は、ステップＳ１１０で推定した温度が、予め定められている温度範囲以内であるか否かを判定する。処理後、制御部４１は、ステップＳ１１２の処理に進める。
【０１００】
（ステップＳ１１２）制御部４１は、推定した環境温度を示す情報と、経過時間を示す情報と、推定した温度が予め定められている温度範囲以内であるか否かを示す情報を、通信部４３を制御して、ネットワーク３０を介して読取処理装置１０Ａへ送信する。
【０１０１】
（ステップＳ１１３）読取処理装置１０Ａの制御部１０６Ａは、サーバー装置４０が送信した情報を受信する。続けて、制御部１０６Ａは、受信した環境温度を示す情報と、経過時間を示す情報と、推定した温度が予め定められている温度範囲以内であるか否かを示す情報を表示部１０４上に表示させるように制御する。なお、制御部１０６Ａは、環境温度を示す情報と経過時間を示す情報を表示部１０４上に表示させるように制御するようにしてもよい。
【０１０２】
次に、サーバー装置４０が行う校正処理について説明する。
読取処理装置１０Ａが撮像部１０１によって温度インジケータ２２を撮影する環境によっては、温度インジケータ２２の色情報を適切に認識できない場合があり得る。色情報を適切に認識できない要因として以下がある。
［Ｉ］撮像が行われる環境（室内、屋外）
［ＩＩ］室内で撮像される場合、室内で使用されている光源の種類（蛍光灯、ＬＥＤ（発光ダイオード）、白熱灯、ハロゲンライト等）
［ＩＩＩ］屋外で撮像される場合、撮像される時間帯や季節等
［ＩＶ］その他（温度インジケータ２２の色差違い、撮像部１０１の光学系や画像処理部の影響、撮影時の露出条件等の影響等）
なお、上述した要因は一例であり、これに限られない。
【０１０３】
サーバー装置４０の記憶部４２は、前述したように校正用色情報部２３の色情報を記憶している。制御部４１は、認識した校正用の色情報と、記憶部４２が記憶する校正用色情報部２３の色情報を比較した結果、色情報の差または比が所定の値以上の場合に校正が必要であると判断する。また、制御部４１は、比較した結果、色情報の差または比が所定の値未満の場合に校正が不要であると判断する。
校正が必要であると判断した場合、制御部４１は、記憶部４２が記憶する補正係数情報を用いて、温度インジケータ２２の色情報を校正（補正）する。
【０１０４】
次に、記憶部４２が記憶する補正係数情報の例を説明する。
図１５は、本実施形態に係るサーバー装置４０の記憶部４２が記憶する補正係数情報の例を示す図である。
図１５に示す例では、記憶部４２が、校正用の色情報と校正用色情報部２３の色情報の差の大きさ毎に、補正値を対応つけて、表形式で記憶している。例えば、第２の差は第１の差より大きく、第３の差は第２の差より大きい。また、第２の補正値は第１の補正値より大きく、第３の補正値は第２の補正値より大きい。
【０１０５】
なお、このような校正を行うか否かの判断、校正処理を、第１実施形態で説明した読取処理装置１０の制御部１０６が行うようにしてもよい。この場合、記憶部１０５が、補正係数情報を記憶していてもよい。
【０１０６】
以上のように、本実施形態では、温度表示デバイスの読取処理装置１０Ａが撮像し、温度インジケータ２２の色を目視ではなくサーバー装置４０が認識するようにした。
本実施形態では、サーバー装置４０の制御部４１が、経過時間を温度インジケータ２２に埋め込まれている使用開始された時刻を示す情報と撮像された時刻との差に基づいて求めるようにした。そして、本実施形態では、制御部４１が、認識した色情報と経過時間を、記憶部４２が記憶する退色情報を参照することで、対象物が曝された環境温度を推定するようにした。さらに、本実施形態では、制御部４１が、推定した温度が、温度管理範囲である所定の温度範囲以内であるか否かを判断するようにした。
【０１０７】
これにより、本実施形態によれば、対象物が曝された温度と経過時間を精度良く推定し、推定した結果を温度表示デバイスの読取処理装置１０Ａへ送信することができる。また、本実施形態によれば、対象物が曝された温度と経過時間を同時に、例えば温度表示デバイスの読取処理装置１０Ａ表示部１０４上に報知させることができる。
また、本実施形態によれば、温度範囲を逸脱しない状態であるか否かの判断や、温度管理範囲を逸脱し範囲以外の環境に曝されたか否かの判断を、容易に高精度に確認することができる。
【０１０８】
＜温度表示デバイス２０を発行する発行装置５０＞
次に、温度表示デバイス２０または温度表示デバイス２０Ａを発行する発行装置５０について説明する。なお、以下の説明では、温度表示デバイス２０を発行する例を説明する。
図１６は、実施形態に係る温度表示デバイス２０の発行装置５０を示す概略図である。図１７は、実施形態に係る発行装置５０の構成例を示すブロック図である。
【０１０９】
図１６、図１７に示すように、発行装置５０は、基材供給部５５、印字記録部５２、照射部５３、移動機構部５４、および制御部５１を備えている。
【０１１０】
基材供給部５５は、例えば、長尺の温度表示デバイス２０Ｂが巻回されたロール５５１（例えばロール紙）を有する。温度表示デバイス２０Ｂは、温度表示デバイス（例えば図１の温度表示デバイス２０）の切断前の形態であり、複数の温度表示デバイスが連なって構成されている。
なお、基材供給部５５は、予め所定の大きさに切断された温度表示デバイスを供給できる方式（枚葉式）を採用してもよい。
【０１１１】
印字記録部５２は、サーマルヘッドを用いた感熱記録式、インクリボン式、インクジェット式、電子写真式、レーザーマーキング式（レーザ光を照射して表面加工を行う方式）等、種々の印字記録方式が採用可能である。なかでも特に、感熱記録式を用いたサーマルプリンタが好ましい。サーマルプリンタは、動作音が非常に小さく、小型軽量に適した比較的簡単な構造で、コストが抑えられるという特長がある。また、サーマルプリンタは、インクリボン、インクカートリッジといったインク類を使用しないため、唯一の消耗品は感熱紙のみであり、簡便でランニングコストが抑えられるという利点もある。
【０１１２】
印字記録部５２は、温度表示デバイス２０Ｂに、表示情報（例えば図１の温度表示デバイス２０における時間情報表示部２４等）を印字する。
【０１１３】
照射部５３は、温度インジケータ（例えば図１の温度インジケータ２２）に照射する照射光の光源を備えている。
照射部５３による照射光の波長は、例えば紫外光領域（例えば２５０〜４００ｎｍ）である。紫外線は、殺菌等に用いられる短波長から、可視光領域に近い長波長に至る広い範囲で温度インジケータ（例えば図１の温度インジケータ２２）の着色が可能であるが、フォトクロミック化合物の開環体と閉環体の吸収スペクトルに基づいて、使用する照射光の波長を選択するのが望ましい。
光源としては、ＬＥＤ式、ランプ式等がある。光源は、温度表示デバイス（例えば図１の温度表示デバイス２０）の仕様、および発行装置５０の仕様に応じて選択することができる。小型の発行装置５０においては、紫外線ＬＥＤを光源として用いるのが好適である。紫外線ＬＥＤは波長帯域が狭いため、温度表示デバイスの温度インジケータ部のフォトクロミック吸収スペクトルから波長を選択し、その波長の光を照射できる紫外線ＬＥＤを選択するのが好ましい。ランプ式のように広い波長帯域の光源を用いる場合は、温度インジケータ部の吸収スペクトルに応じて、フィルターにより照射光の発色特性を調整することも可能である。
光源は、例えば発行装置５０の筐体（図示略）の内部に設けられる。光源は、光の照射時において発行装置５０外に照射光が漏れないことが好ましい。光源は、印字記録部５２より下流側（温度表示デバイスの搬送方向の下流側）であって、発行装置５０の出口（温度表示デバイスが搬出される搬出口）に近い位置に設けられることが好ましい。光照射により温度表示デバイスの温度インジケータ部が温度検知を開始することから、光源が発行装置５０の出口に近い位置にあると、温度検知の開始から短時間で対象製品に温度表示デバイスを取り付けできるためである。
【０１１４】
移動機構部５４は、モータ等の駆動部（図示略）によって長尺の温度表示デバイス２０Ｂをロール５５１から繰り出し、印字記録部５２および照射部５３を経て温度表示デバイスを送り出す。これによって温度表示デバイス（例えば図１の温度表示デバイス２０）が発行される。
【０１１５】
制御部５１は、例えば、相互に接続されたＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）を備える。例えば、制御部５１は、予め記憶されたプログラムをＣＰＵにより実行する。
【０１１６】
また、図１７に示すように、制御部５１は、照射制御部５１１、印字制御部５１２、情報取得部５１３、計時部５１４、および位置制御部５１５を備えている。
【０１１７】
照射制御部５１１は、照射部５３による温度表示デバイスへの光の照射を制御する。
印字制御部５１２は、印字記録部５２による温度表示デバイスへの表示情報の印字を制御する。前記表示情報は、例えば、温度表示デバイスの温度検知の開始時間になる時間情報、商品情報等である。
【０１１８】
情報取得部５１３は、時間情報、商品情報を取得する。
計時部５１４は、照射部５３において温度インジケータに光を照射する照射時間を計時し、時間情報（照射時間）を出力する。この構成によれば、正確な時間を温度表示デバイス２０Ｂに印字できる。
【０１１９】
位置制御部５１５は、例えば基材供給部５５から供給される温度表示デバイス２０Ｂの搬送を制御する。位置制御部５１５は、温度表示デバイス２０Ｂの位置に合わせて照射制御部５１１および印字制御部５１２に制御信号を出力し、印字記録部５２および照射部５３を動作させる。
【０１２０】
図１６、図１７に示す発行装置５０を用いて、図１に示す温度表示デバイス２０を発行する場合を例として、温度表示デバイスを発行する方法について説明する。
図１６に示すように、基材供給部５５から温度表示デバイス２０Ｂを送り出す。印字記録部５２では時間情報をコード化して時間情報表示部２４に印字する（図１参照）。時間情報は、例えば、計時部５１４（図１７）から出力された時間情報（照射時間）に基づいて得られた、温度検知の開始時間である。
【０１２１】
照射部５３では、温度インジケータ２２に光を照射する。光照射により温度表示デバイス２０Ｂの温度インジケータ２２による温度検知が開始される。照射部５３を経た温度表示デバイス２０Ｂは、図示しない切断部によって切断されて温度表示デバイス２０として発行装置５０から搬出される。これによって温度表示デバイス２０が発行される。
温度表示デバイス２０は温度検知の対象となる製品に取り付けられる。
【０１２２】
発行装置５０では、照射部５３が、温度表示デバイス２０Ｂの搬送方向について印字記録部５２よりも下流側にある。感熱記録式の印字記録部５２を用いる場合、温度表示デバイス２０Ｂが印字の際に加熱されるが、印字記録部５２が照射部５３より搬送方向の上流側にあるため、印字の時点では温度検知が開始されていない。そのため、印字の際の加熱が温度履歴に影響を与えない。よって、正確な温度履歴を表示することが可能となる。
【０１２３】
なお、本発明における読取処理装置１０（または１０Ａ）の機能の全てまたは一部を実現するためのプログラムをコンピュータ読み取り可能な記録媒体に記録して、この記録媒体に記録されたプログラムをコンピュータシステムに読み込ませ、実行することにより読取処理装置１０（または１０Ａ）が実行する全ての処理または一部の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバーやクライアントとなるコンピュータシステム内部の揮発性メモリ（ＲＡＭ）のように、一定時間プログラムを保持しているものも含むものとする。
【０１２４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１２５】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【０１２６】
１，１Ａ…温度表示デバイスの読取処理システム、１０，１０Ａ…読取処理装置、１０１…撮像部、１０２…マイク、１０３…操作部、１０４…表示部、１０５，１０５Ａ…記憶部、１０６，１０６Ａ…制御部、１０７…通信部、１０８…スピーカ、１０９…拡張スロット、１１０…外部接続端子、２０，２０Ａ…温度表示デバイス、２１…基材シート、２２…温度インジケータ、２３…校正用色情報部、２４…時間情報表示部、４０…サーバー装置、４１…制御部、４２…記憶部、４３…通信部、５０…発行装置、３０…ネットワーク
【図１】
2019045474.tif 000004
【図２】
2019045474.tif 000005
【図３】
2019045474.tif 000006
【図４】
2019045474.tif 000007
【図５】
2019045474.tif 000008
【図６】
2019045474.tif 000009
【図７】
2019045474.tif 000010
【図８】
2019045474.tif 000011
【図９】
2019045474.tif 000012
【図１０】
2019045474.tif 000013
【図１１】
2019045474.tif 000014
【図１２】
2019045474.tif 000015
【図１３】
2019045474.tif 000016
【図１４】
2019045474.tif 000017
【図１５】
2019045474.tif 000018
【図１６】
2019045474.tif 000019
【図１７】
2019045474.tif 000020